(57)【要約】【課題】遊技者に対してリールの表示態様に整合する演出を提供して遊技者の期待感を上げると同時に、演出によってリールの表示態様が把握できる演出機能を搭載したスロットマシンを提供する。【解決手段】表示列が停止した際に、視認可能領域における図柄の表示態様が1または複数の所定の図柄組合せを構成しうるかどうかを判別し、１または複数の所定の図柄組合せについて示唆する演出を行うとともに、当該示唆する演出の後に、表示態様が、当該示唆する演出を行った１または複数の所定の図柄組合せのうち、当該所定の図柄組合せを構成しうると判別した場合は、当該構成しうると判別した図柄組合せについて示唆する演出を継続する。【選択図】図１０
2016106931.tif 000002
【特許請求の範囲】
【請求項１】
複数種類の図柄が配置された複数の表示列を有し、予め定められた視認可能領域において前記図柄が視認可能となっており、当該複数の表示列の図柄の可変表示を開始した後、当該図柄の可変表示を表示列ごとに順次停止させるスロットマシンにおいて、
前記表示列が停止した際に、前記視認可能領域における前記図柄の表示態様が１または複数の所定の図柄組合せを構成しうるかどうかを判別する表示態様判別手段と、
１または複数の前記所定の図柄組合せについて示唆する演出を行うとともに、当該示唆する演出の後に、前記表示態様判別手段の判別において、前記表示態様が、当該示唆する演出を行った１または複数の前記所定の図柄組合せのうち、当該所定の図柄組合せを構成しうると判別した場合は、当該構成しうると判別した図柄組合せについて示唆する演出を継続する演出手段と、
を有することを特徴とするスロットマシン。
【請求項２】
前記複数の表示列の図柄の可変表示の開始時に所定の役を抽選する抽選手段を備え、
前記演出手段は、前記抽選手段の抽選により当選した前記役に基づく表示態様として構成されうる前記所定の図柄組合せについて示唆する演出を少なくとも含む演出を行うことを特徴とする請求項１に記載のスロットマシン。
【請求項３】
前記所定の図柄組合せについて示唆する演出において、複数の前記所定の図柄組合せについて示唆する演出を行う場合は、個々の前記所定の図柄組合せについて示唆する演出とは異なる統一的な態様で示唆する演出を行うことを特徴とする請求項１または２に記載のスロットマシン。
【発明の詳細な説明】
【技術分野】
【０００１】
本発明は、スロットマシンに関する。
【背景技術】
【０００２】
スロットマシンにおいては、いわゆるメカリールやビデオリールとは別に、演出用の液晶表示画面が設けられ、ゲームを盛り上げるための様々な演出が表示されている。これらの演出は、ゲームのプレイヤを飽きさせない効果があるものの、リールの停止状況とは全く無関係な演出を行うものが多い。
【０００３】
例えば、リールを停止させるためのストップボタンが設けられているスロットマシンにおいては、小役等が重複当選した場合に複数の当選を示唆する複合的な演出が行われ、遊技者の期待感を持続しやすいスロットマシンが提案されている。
【先行技術文献】
【特許文献】
【０００４】
【特許文献１】特開２０１３−１５３８１４号公報
【発明の概要】
【発明が解決しようとする課題】
【０００５】
しかし、上記のようなスロットマシンの制御では、遊技者がどのタイミングでストップボタンを操作しても入賞位置に引き込める図柄（100％入賞図柄）についてストップボタンの順序で停止制御が決まり、その状況においてのみ予め用意した演出を行うものである。つまり、上記スロットマシンは100％入賞図柄の押し順小役の入賞時しか想定しておらず、100％入賞図柄でない図柄については、その図柄が停止するとは限らないため、上記スロットマシンでは対応できない。また、仮に遊技者が押し順に従わない場合にどのように演出するのかが不明である。リールの停止状況と演出とを関係づけて遊技者の期待感を上げるには不十分であった。
【０００６】
本発明の目的は、遊技者に対してリールの表示態様に整合する演出を提供して遊技者の期待感を上げると同時に、さらに演出によってリールの表示態様が把握できる演出機能を搭載したスロットマシンを提供することにある。
【課題を解決するための手段】
【０００７】
本発明に係るスロットマシンは、上記課題に鑑みて、複数種類の図柄が配置された複数の表示列を有し、予め定められた視認可能領域において前記図柄が視認可能となっており、当該複数の表示列の図柄の可変表示を開始した後、当該図柄の可変表示を表示列ごとに順次停止させるスロットマシンにおいて、前記表示列が停止した際に、前記視認可能領域における前記図柄の表示態様が1または複数の所定の図柄組合せを構成しうるかどうかを判別する表示態様判別手段と、１または複数の前記所定の図柄組合せについて示唆する演出を行うとともに、当該示唆する演出の後に、前記表示態様判別手段の判別において、前記表示態様が、当該示唆する演出を行った１または複数の前記所定の図柄組合せのうち、当該所定の図柄組合せを構成しうると判別した場合は、当該構成しうると判別した図柄組合せについて示唆する演出を継続する演出手段と、を有することを特徴とする。
【０００８】
また、本発明に係るスロットマシンの一態様では、前記複数の表示列の図柄の可変表示の開始時に所定の役を抽選する抽選手段を備え、前記演出手段は、前記抽選手段の抽選により当選した前記役に基づく表示態様として構成されうる前記所定の図柄組合せについて示唆する演出を少なくとも含む演出を行うことを特徴とする。
【０００９】
また、本発明に係るスロットマシンの一態様では、前記所定の図柄組合せについて示唆する演出において、複数の前記所定の図柄組合せについて示唆する演出を行う場合は、個々の前記所定の図柄組合せについて示唆する演出とは異なる統一的な態様で示唆する演出を行うことを特徴とする。
【発明の効果】
【００１０】
本発明によれば、遊技者に対してリールの表示態様に整合する演出を提供して遊技者の期待感を上げると同時に、演出によってリールの表示態様が把握できる演出機能を搭載したスロットマシンを提供することができる。
【図面の簡単な説明】
【００１１】
【図１】本発明の第１の実施形態に係るスロットマシンを説明するための図である。
【図２】第１の実施形態に係るスロットマシンのリール可変表示装置の構造を示す説明図である。
【図３】第１の実施形態に係るスロットマシンのリールの図柄配列を示す図である。
【図４】第１の実施形態に係るスロットマシンの電気的構成を示すブロック図である。
【図５】第１の実施形態に係るスロットマシンにおける演出内容を示す説明図である。
【図６】第１の実施形態に係るスロットマシンにおける入賞ラインを説明するための図である。
【図７】第１の実施形態に係るスロットマシンにおける図柄組合せを説明するための図である。
【図８】第１の実施形態におけるスロットマシンの機能的構成を示す図である。
【図９】第１の実施形態の一遊技の流れの内容を示すフローチャートである。
【図１０】第１の実施形態の演出の処理について説明するためのフローチャートである。
【発明を実施するための形態】
【００１２】
＜第１の実施形態＞
本発明の第１の実施形態に係るスロットマシンについての説明をする。
【００１３】
＜スロットマシンの外観構成について＞
図１は、本発明の第１実施形態に係るスロットマシンの外観を示す斜視図である。スロットマシンは、前面が開口した箱状の本体２と本体２の前面に配置した前面扉３から構成されている。本体２と前面扉３とは片側で蝶番により固定され開閉できるようになっている。前面扉３は、遊技者が遊技を行うためのボタン類が配置された操作部ＯＰ、リール可変表示装置ＲＬの図柄を視認させるためのリール窓２０や遊技を進行するための情報が表示される表示器類が配置されたパネル表示部ＤＰ、遊技を進行するための情報が表示される表示器類や電飾装置が配置された演出表示部ＴＰ及び受皿部ＢＰから構成されている。
【００１４】
操作部ＯＰには、メダル投入口１０、ＭＡＸＢＥＴボタン１１をはじめとする一遊技に賭ける遊技媒体の数を設定するベットボタン、スタートレバー１２、左ストップボタン１３ａ、中ストップボタン１３ｂ、右ストップボタン１３ｃ、精算ボタン１４、表示画面操作ボタン１５が設けられている。操作部ＯＰの上面右側にメダル投入口１０が配置され、上面左側にＭＡＸＢＥＴボタン１１が配置されている。スロットマシンの遊技は、メダル投入操作又はベットボタン操作、再遊技賞の入賞に伴う自動ベット処理により開始できる。ＭＡＸＢＥＴボタン１１の下部位置の前面側には、リールＲ１（左リール）、リールＲ２（中リール）、リールＲ３（右リール）の回転を行うためのスタートレバー１２が配置され、その右側には左リールＲ１の回転を停止させるための左ストップボタン１３ａ、中リールＲ２の回転を停止させるための中ストップボタン１３ｂ及び右リールＲ３の回転を停止させるための右ストップボタン１３ｃが配置される。
【００１５】
また、リールＲ１〜Ｒ３が回転を開始した後、ストップボタン１３ａ〜１３ｃのうちリールを停止するために最初に入力される操作を第１停止操作、次に入力される操作を第２停止操作、最後に入力される操作を第３停止操作というものとする。また、ストップボタン１３ａ〜１３ｃのうち、リールを停止するために最初に押下されるボタンを第１停止ボタン、次に押下されるボタンを第２停止ボタン、最後に押下されるボタンを第３停止ボタンというものとする。また、リールＲ１〜Ｒ３のうち、最初に停止制御されるリールを第１停止リール、次に停止制御されるリールを第２停止リール、最後に停止制御されるリールを第３停止リールというものとする。さらに、「順押し」とは、第１停止操作が左ストップボタン１３ａに、第２停止操作が中ストップボタン１３ｂに、第３停止操作が右ストップボタン１３ｃに入力される操作順序のことをいい、「挟み押し」とは、第１停止操作が左ストップボタン１３ａに、第２停止操作が右ストップボタン１３ｃに、第３停止操作が中ストップボタン１３ｂに入力される操作順序のことをいう。また、「変則押し」とは、左ストップボタン１３ａ以外に第１停止操作が入力される操作順序のことをいう。
【００１６】
スタートレバー１２の左側には、貯留装置に記憶されたクレジットを精算してメダル受皿４０にメダルを払い出すための精算ボタン１４が配置されている。この精算ボタン１４は遊技をやめる場合に使用されるものである。
【００１７】
パネル表示部ＤＰには、リール窓２０、遊技ガイド表示器２２及び遊技価値情報表示部２３が設けられている。遊技価値情報表示部２３は、クレジット数表示器２３ａ、獲得枚数表示器２３ｂ及び配当数表示器２３ｃから構成される。リール窓２０は、１つのリールにつき、３個の連続した図柄をのぞむ透明アクリル板からなり、遊技者は３つのリールで９個分の図柄を、リール窓２０を通して目視することができる視認可能領域である。
【００１８】
本実施形態におけるスロットマシンは、リール窓２０の中段表示位置に水平の入賞ラインＬ１を有している。すなわち、左リールＲ１における上段表示位置をＵ１、中段表示位置をＭ１、下段表示位置をＤ１、中リールＲ２における上段表示位置をＵ２、中段表示位置をＭ２、下段表示位置をＤ２、右リールＲ３における上段表示位置をＵ３、中段表示位置をＭ３、下段表示位置をＤ３、とした場合に、入賞ラインＬ１は、各リールＲ１〜Ｒ３における中段表示位置Ｍ１−Ｍ２−Ｍ３に対応している。
【００１９】
また、リール窓２０の右側には、入賞した役に応じて点灯する表示部やゲーム状態に応じて点灯するＬＥＤなどの複数のＬＥＤが配置された遊技ガイド表示器２２が設けられている。さらにリール窓２０の下側には、貯留装置に蓄えられたクレジット数を表示するクレジット数表示器２３ａ、所定ゲーム中に付与された配当数を累積して獲得枚数の表示を行う獲得枚数表示器２３ｂ、及び入賞した場合に付与された配当数を表示する配当数表示器２３ｃから構成される遊技価値情報表示部２３を有している。
【００２０】
演出表示部ＴＰには、遊技の進行状態を画像で表示する液晶ディスプレイなどで構成される表示器３０、ゲーム状態に応じて色彩や点灯パターンを変化させてゲーム状態を表示する電飾ＬＥＤ３１及びゲーム状態に応じて変化させるＢＧＭやボタン操作に応じた操作音、ガイド音声を出力するスピーカ３２が設けられている。
【００２１】
受皿部ＢＰには、メダル払出装置が駆動されてメダル払出口４０ａから排出された遊技メダルを貯めるメダル受皿４０が設けられており、メダル受皿４０の左側には灰皿４１が設けられている。
【００２２】
＜リールについて＞
図２は、スロットマシンのリール可変表示装置ＲＬの構造を示す説明図である。図２（ａ）は、リール可変表示装置ＲＬ全体の構造を示し、リール可変表示装置の内部を表すために右リールＲ３が取り外された状態を示したものである。図２（ｂ）は、右リールＲ３の詳細の構造を示す。
【００２３】
リールＲ１〜Ｒ３は、軸部から放射線状に延びた複数のスポーク部と環状の枠を有する透明なＡＢＳ樹脂等からなるリール枠５６ａ〜５６ｃに、２１個の各種の図柄（図柄番号ＰＮ＝１〜２１）が印刷されているリール帯５８ａ〜５８ｃが、リール枠５６ａ〜５６ｃの周面に貼り付けられて構成される。リールＲ１〜Ｒ３はリール可変表示装置ＲＬのケース体５０の上下に設けられた、それぞれのリールに対応したガイドレール５１ａ〜５１ｃに沿って挿入され、ケース体５０内に収容される。図２（ｂ）を使って、リールＲ３の説明をするが、リールＲ１〜Ｒ２も同一の構造である。リールＲ３は、ステッピングモータ５４ｃに固定され回転するようになっている。リールＲ３の回転には、４００ステップのパルスの供給で１回転するステッピングモータ５４ｃを使用し、所定のパルスを供給することで所定の図柄をリール窓２０に表示させることができる。さらにＬＥＤ（図示せず）を設置したバックライト装置５３ｃを設け、リール帯５８ｃの内側から光を照射できるようになっている。このように、リール帯５８ｃの内側からバックライト装置５３ｃによって光を照射することで、遊技者にリール帯５８ｃ上の図柄を目立たせることができる。
【００２４】
またスポーク部の一つに検知板５７ｃを取り付け、リール位置検出センサ５５ｃによって、リールＲ３が１回転するごとに１パルスのリール位置検出信号１５５ｃを出力できるようになっている。このリール位置検出信号１５５ｃを検知してから１０ステップ進めたときに、図柄番号ＰＮ＝１がリール窓２０の中央の入賞ラインＬ１上に位置するように検知板５７ｃとリール帯５８ｃとの位置が設定してある。
【００２５】
リールＲ３、リールＲ３が固定されたステッピングモータ５４ｃ、バックライト装置５３ｃ及びリール位置検出センサ５５ｃをベース板５２ｃに固定することで一つのユニット構成としている。また、リール可変表示装置ＲＬは、ベース板５２ｃをリール可変表示装置ＲＬのケース体５０に設けられたガイドレール５１ｃに沿って挿入してケース体５０内に収容するようになっている。ステッピングモータ５４ｃ、バックライト装置５３ｃ、検知板５７ｃ、リール位置検出センサ５５ｃおよびリール位置検出信号１５５ｃは、図示していないが、リールＲ１では、ステッピングモータ５４ａ、バックライト装置５３ａ、検知板５７ａ、リール位置検出センサ５５ａおよびリール位置検出信号１５５ａにそれぞれ対応し、リールＲ２では、ステッピングモータ５４ｂ、バックライト装置５３ｂ、検知板５７ｂ、リール位置検出センサ５５ｂおよびリール位置検出信号１５５ｂにそれぞれ対応する。
【００２６】
＜図柄の配置について＞
図３は、本実施形態のスロットマシンにおけるリール帯５８ａ〜５８ｃに印刷された図柄の配置を示す説明図である。左、中、右のそれぞれのリールには２１個の図柄が等間隔で配置して印刷されている。４００ステップのパルスの供給で１回転するステッピングモータ５４ａ〜５４ｃを使用しているので、２１個の図柄を配置すると図柄の間隔は１９ステップとなる。また、リール位置検出信号１５５ａ〜１５５ｃを検知してから１０ステップ進めたときに、図柄番号ＰＮ＝１がリール窓２０の中段の入賞ラインＬ１上に位置するようにしているため、リール位置検出信号１５５ａ〜１５５ｃを検知してから２９ステップ進めれば図柄番号ＰＮ＝２がリール窓の中段に位置し、４８ステップ進めれば図柄番号ＰＮ＝３がリール窓の中段に位置し、３９０ステップ進めれば図柄番号ＰＮ＝２１がリール窓の中段に位置することになる。３９０ステップより先に進めると、再びリール位置検出信号１５５ａ〜１５５ｃが検知される。これによりリール位置検出信号１５５ａ〜１５５ｃが検知されたタイミングを基点にして、進めるステップ数により所定の図柄をリール窓の中段に位置させることができる。
【００２７】
＜スロットマシンの電気的構成について＞
図４は、スロットマシンの電気的公正を示すブロック図である。スロットましンは、遊技の主たる制御を行うメイン制御基板１００Ａ、表示器３０に対して表示制御を行い画像表示するサブ制御基板１００Ｂを備えている。メイン制御基板１００Ａは、ＣＰＵ１０１、クロック発生回路ａ１０２、クロック発生回路ｂ１０３、ＲＯＭ１０４、ＲＡＭ１０５、データ送出回路１０６、入出力ポート１０７から構成されている。なお、ＣＰＵ１０１としてＲＯＭやＲＡＭを内蔵しているものを採用することができる。その場合には、外付けのＲＯＭ１０４、ＲＡＭ１０５は不要となる。
【００２８】
ＣＰＵ１０１は、ＲＯＭ１０４に格納されたプログラムを、クロック発生回路ａ１０２で発生したＣＬＫ信号のタイミングに基づいて読み出し、プログラムを逐次実行する。ＣＰＵ１０１は、電源が投入されるとあらかじめ定められたアドレスからメインプログラムを実行し、クロック発生回路ａ１０２の周期とは異なるクロック発生回路ｂ１０３で発生したＩＮＴＲ信号のタイミングで、あらかじめ定められたアドレスから始まる割込みプログラムを実行する。ここで、ＩＮＴＲ信号の間隔は、例えば、２ミリ秒である。ＣＰＵ１０１はプログラムの実行に応じて、各種フラグや各種カウンタ又は各種遊技情報をＲＡＭ１０５に保存する。外部から供給される電源が遮断した場合でも、ＲＡＭ１０５は電池により記憶情報が保持されており、その後電源が復帰した場合には、電源断発生の直前の状態から再開する。ＣＰＵ１０１は、入出力ポート１０７を介して各種ボタン、センサの状態を読み取って各種モータ等を駆動する。
【００２９】
ベット操作指示信号１１１ａ〜１１１ｃ、開始操作指示信号１１２、停止操作指示信号１１３ａ〜１１３ｃ及び精算操作指示信号１１４は、それぞれ操作部ＯＰに設けられたＭＡＸボタン１１をはじめとするベットボタン、スタートレバー１２、ストップボタン１３ａ〜１３ｃ、精算ボタン１４が遊技者に操作されたことに応じて検知される信号であり、入出力ポート１０７を介してＣＰＵ１０１に送られる。表示制御信号１２３ａ〜１２３ｃは、それぞれパネル表示部ＤＰに設けられたクレジット数表示器２３ａ、獲得枚数表示器２３ｂ、配当数表示器２３ｃに表示するための表示信号であり、入出力ポート１０７を介してＣＰＵ１０１より駆動される。リール位置検出信号１５５ａ〜１５５ｃはそれぞれリール可変表示装置ＲＬのそれぞれのリールに対応し、リールが１回転するたびに１回検出する信号であり入出力ポート１０７を介してＣＰＵ１０１に送られる。リール駆動信号１５４ａ〜１５４ｃは、それぞれリール可変表示装置ＲＬのそれぞれのリールＲ１〜Ｒ３を駆動するステッピングモータ駆動信号であり、入出力ポート１０７を介してＣＰＵ１０１より駆動される。このリール駆動信号１５４ａ〜１５４ｃによってステッピングモータに対する制御を行うことにより、各リールＲ１〜Ｒ３の回転制御の開始や停止制御を実行することができる。
【００３０】
メダル投入信号１６０は、投入された遊技メダルをメダル投入口１０から通ずる前面扉３の内部に設けられたメダル検出装置に設けられたメダルを検出するセンサの信号であり、入出力ポート１０７を介してＣＰＵ１０１に送られる。また、メダルブロック信号１６１はメダル検出装置に設けられたソレノイドを駆動する信号であり入出力ポート１０７を介してＣＰＵ１０１より駆動される。メダル払出信号１６２はメダル払出装置のメダル放出部に設けられたメダルを検出するセンサ信号であり、入出力ポート１０７を介してＣＰＵ１０１に送られる。また、払出駆動信号１６３はメダル払出装置に設けられたモータを駆動する信号であり、入出力ポート１０７を介してＣＰＵ１０１より駆動される。
【００３１】
ＣＰＵ１０１は、データ送出回路１０６を介してサブ制御基板１００Ｂへ各種コマンドを出力する。サブ制御基板１００Ｂは、ＣＰＵ１９１、クロック発生回路ｃ１９２、クロック発生回路ｄ１９３、ＲＯＭ１９４、ＲＡＭ１９５、データ入力回路１９６及びグラフィックＬＳＩとその周辺回路からなる表示回路１９７を備えている。このＣＰＵ１９１は、ＲＯＭ１９４に格納されたプログラムを、クロック発生回路ｃ１９２で発生したＣＬＫ信号のタイミングに基づいて読み出し、プログラムを逐次実行する。ＣＰＵ１９１は、電源が投入されるとあらかじめ定められたアドレスからメインプログラムを実行し、クロック発生回路ｃ１９２の周期とは異なるクロック発生回路ｄ１９３で発生したＩＮＴＲ１信号のタイミングで、あらかじめ定められたアドレスから始まる割込みプログラムを実行する。ここで、ＩＮＴＲ１信号の間隔は、例えば、２ミリ秒とする。ＣＰＵ１９１は、プログラムの実行に応じて、各種フラグや各種カウンタ又は各種遊技情報をＲＡＭ１９５に保存する。また、メイン制御基板１００Ａのデータ送出回路からのデータ送出タイミングに同期して送出されるストローブ信号に基づいてＩＮＴＲ２信号を発生させ、このＩＮＴＲ２信号のタイミングで、あらかじめ定められたアドレスから始まる割込みプログラムを実行する。
【００３２】
サブ制御基板１００Ｂは、メイン制御基板１００Ａより各種コマンドを受信して、遊技に伴う演出画像を表示器３０に表示させる指示を表示回路１９７に出力する。また、サブ制御基板１００Ｂは、遊技ガイド表示器２２、電飾ＬＥＤ３１による電飾装置の点灯制御や、リール可変表示装置ＲＬに設けられたバックライト装置５３ａ〜５３ｃの点灯制御、及びＢＧＭなどのサウンドをスピーカ３２から出力する音制御を行う。メイン制御基板１００Ａから副制御基板１００Ｂに信号や情報が伝達されるものの、サブ制御基板１００Ｂからメイン制御基板１００Ａには信号や情報を入力することができないようになっている。
【００３３】
＜スロットマシンの遊技について＞
以下では、本実施形態のスロットマシンの遊技について説明をする。
【００３４】
本実施形態のスロットマシンの入賞ラインは、リール窓２０の中段の図柄表示位置にて水平となる入賞ラインのみであり、サブ制御基板１００Ｂにおける画像や音声の制御により、押し順小役等を入賞させる停止操作順序やタイミングなどを報知するＡＴ（アシストタイム）機能を有している。
【００３５】
そして特に、本実施形態のスロットマシンは、特別役（具体的には、第２種ＢＢ役）が内部当選した遊技やそのフラグを持ち越している状態において、当該特別役よりも小役および再遊技役が優先して有効ライン上に停止する仕様となっている。そしてスロットマシンの第２種ＢＢ役のフラグを持ち越している状態（以下、第２種ＢＢ役内部中状態というものとする。）では、小役および再遊技役が内部当選確率の主要部分を占めるように設定されており、第２種ＢＢ内部中状態に長期的に滞在するようになっている。
【００３６】
まず、スロットマシンの電源の投入直後や設定変更直後の通常ゲーム状態では、比較的高い当選確率で第２種ＢＢ役に当選し、第２種ＢＢ内部中状態に移行するようになっている。そして、第２種ＢＢ内部中状態では、小役および再遊技役に不当選となった際にのみ、第２種ＢＢ役に対応する図柄の組合せを有効ライン上に停止可能となっており、第２種ＢＢ内部中状態は、第２種ＢＢ役に対応する図柄組合せが有効ライン上に停止するまで継続する。
【００３７】
一般的なスロットマシン（いわゆるＡタイプのスロットマシン）では、滞在率の低いボーナスゲーム状態における出玉率を、滞在率の高いボーナスゲーム状態以外の状態における出玉率よりも高く設定をすることでスロットマシンのゲーム性を醸成している。一方、本実施形態のスロットマシンでは、ボーナスゲーム状態での出玉率を低く抑える代わりに、ボーナスゲーム状態以外の状態での出玉率を向上させるようにし、さらに、第２種ＢＢゲーム状態における出玉率を１００％に抑えて、第２種ＢＢゲーム状態の滞在期間を役物比率の限界まで長くするようにしている。これにより、ボーナスゲーム状態以外の状態でのＡＴ機能による純増枚数を、一般的なスロットマシンよりも高くするように設定することができ、ＡＴ機能による爽快な出玉感が強調されたスロットマシンを提供することができる。
【００３８】
ここで、「ＡＴ機能」とは、ストップボタン１３ａ〜１３ｃの操作に応じて有効ライン上に停止する図柄の組合せが異なるように設定された役が当選したときに、遊技者にとって有利となる操作態様を報知する演出を伴う「ＡＴ遊技」（報知ゲーム）を実行する機能のことをいい、ＡＴ遊技が実行されることとなる状態をＡＴ状態、ＡＴ遊技が実行されない状態を非ＡＴ状態とも言う。また、ＡＴ遊技の将来的な付与を確定する抽選処理のことを「ＡＴ抽選」ともいう。本実施形態におけるＡＴ状態では、内部当選の結果に応じて、画像や音声の制御により遊技者にとって有利となる押し順の報知が行われる。また、ＡＴ状態は所定の条件を充足するまで継続するようになっており、本実施形態では、ＡＴ抽選により所定のゲーム数の報知ゲームが付与されて、当該ゲーム数の報知ゲームを消化するまでＡＴ状態が継続する。
【００３９】
またスロットマシンでは、押し順等の報知がない遊技において、ストップボタン１３ａ〜１３ｃを操作するべき基準となる押し順（基準操作順序）として、左リールを第１停止リールとする順押し又は挟み押しが推奨されている。
【００４０】
＜スロットマシンの演出について＞
図５は、リールの図柄の停止と液晶画面による演出内容を示したものである。図５（１）（a）は、すべてのリールが回転している場合の視認可能領域における表示態様を示している。すべての図柄は変動中の状態である。
【００４１】
図５（１）（ｂ）は、左リールが停止し、中リールおよび右リールが回転している場合の視認可能領域における表示態様を示している。左リール上段に「７」、中段に「スイカ」、下段に「ベルＡ」の各図柄が停止表示されている。このように左リールの各図柄が視認可能領域に停止表示され、中リールおよび右リールの図柄が変動中である表示態様において構成しうる図柄組合せとしては、図柄組合せの左リール部に「７」を含む図柄組合せ「ビッグボーナス」、「スイカ」を含む図柄組合せ「スイカ」、「ベルＡ」を含む図柄組合せ「ベル」の３つに絞られることになる。
【００４２】
図５（１）（ｃ）は、左リールが停止しており、次に中リールが停止し、右リールが回転している場合の視認可能領域における表示態様を示している。中リール上段に「７」、中段に「スイカ」、下段に「ベルＡ」の各図柄が停止表示されている。このように左リールおよび中リールの各図柄が視認可能領域に停止表示され、右リールの図柄が変動中である表示態様において構成しうる図柄組合せとしては、図柄組合せの左リールおよび中リール部に「７」を含む図柄組合せ「ビッグボーナス」、「スイカ」を含む図柄組合せ「スイカ」、「ベルＡ（ベル）」を含む図柄組合せ「ベル」の３つということになる。
【００４３】
図５（１）（ｄ）は、左リールおよび中リールが停止しており、最後に右リールが停止した場合の視認可能領域における表示態様を示している。右リール上段に「ブランク」、中段に「７」、下段に「ベルＡ」の各図柄が停止表示されている。このように左リール、中リールおよび右リール、すなわち、すべてのリールの各図柄が視認可能領域に停止表示された表示態様においては、実際に停止した図柄組合せが明らかになる。このケースでは、各リール下段に「ベルＡ」「ベルＡ」「ベルＡ」の図柄組合せが停止表示されていることから図柄組合せ「ベル」が揃った状態となる。
【００４４】
図５（２）は、上記のリールの表示態様に応じた液晶画面での演出を示したものである。図５（２）の（a）から（ｄ）は、それぞれ図５（１）の（a）から（ｄ）と対応している。
【００４５】
図５（２）（a）の時点、すなわち、図柄が１つも停止表示されていない時点では、いずれの図柄組合せが停止するか、遊技者には分からない状態である。また、この状態は、遊技者から見ると、すべての図柄組合せについて停止する可能性があるといえる状態である。そこで、図５（２）（a）では、すべての図柄組合せ「７」、「スイカ」、「ベル」、「リプ」を液晶画面上に表示している。このように、停止する可能性がある図柄組合せとして、「７」は図柄組合せ「ビッグボーナス」、「スイカ」は図柄組合せ「スイカ」、「ベル」は図柄組合せ「ベル」、「リプ」は図柄組合せ「リプレイ」を示唆する演出を行っている。
【００４６】
図５（２）（ｂ）の時点、すなわち、中リールおよび右リールが回転しており、左リールが停止した時点では、左リールには「７」、「スイカ」、「ベルＡ」が停止表示されている。そこで、液晶画面には、停止する可能性がある図柄組合せとして、「７」は図柄組合せ「ビッグボーナス」、「スイカ」は図柄組合せ「スイカ」、「ベル」は図柄組合せ「ベル」を示唆する演出を継続して行う。図柄組合せ「リプレイ」を示唆する「リプ」は、この時点で液晶画面上から消去する。リールの表示態様から、図柄組合せ「リプレイ」が停止表示される可能性がなくなったからである。なお、停止表示される可能性がなくなった図柄組合せについては、液晶画面上、消去する方法に限られない。例えば、「リプ」の画像上に「Ｘ」印をつける、「リプ」の画像を暗転する等、画像に変更を加えてもよい。このように、停止表示される可能性がなくなった図柄組合せについては、停止表示される可能性がなくなったことを示唆する演出を行えばよい。
【００４７】
図５（２）（ｃ）の時点、すなわち、右リールが回転しており、左リールに続いて中リールが停止した時点では、左リールには「７」、「スイカ」、「ベルＡ」、中リールには「７」、「スイカ」、「ベルＡ」が停止表示されている。そこで、液晶画面には、停止する可能性がある図柄組合せとして、「７」は図柄組合せ「ビッグボーナス」、「スイカ」は図柄組合せ「スイカ」、「ベル」は図柄組合せ「ベル」を示唆する演出を継続して行う。
【００４８】
図５（２）（ｄ）の時点、すなわち、左リール、中リールに続いて最後に右リールが停止した時点では、左リールには「７」、「スイカ」、「ベルＡ」、中リールには「７」、「スイカ」、「ベルＡ」、右リールには「ブランク」、「７」、「ベルＡ」が停止表示されている。そこで、視認可能領域における表示態様として、図柄組合せ「ベル」が停止表示されたことに合わせて、液晶画面には「ベル」を表示する。
【００４９】
図５（３）は、上記のリールの表示態様に応じた液晶画面での別の演出を示したものである。図５（３）の（a）から（ｄ）は、それぞれ図５（１）の（a）から（ｄ）と対応している。
【００５０】
図５（３）では、液晶画面上に色を表示することで、構成しうる図柄組合せについて示唆することとしている。「赤」は図柄組合せ「ビッグボーナス」、「緑」は図柄組合せ「スイカ」、「黄」は図柄組合せ「ベル」、「青」は図柄組合せ「リプレイ」を示唆する。図５（３）（a）から（ｄ）までの過程は、図５（２）（a）から（ｄ）までの過程と同様である。
【００５１】
図５（４）は、示唆する演出のバリエーションである。図５（４）の（a）から（ｄ）は、それぞれ図５（１）の（a）から（ｄ）と対応している。
【００５２】
図５（４）の（a）から（ｃ）までは、液晶画面上に「白」を表示することで、構成しうる図柄組合せについて示唆することとしている。これは、２以上の図柄組合せが停止表示される可能性がある間は、「赤」、「緑」、「黄」、「青」といった個々の図柄組合せを示唆する色とは異なる「白」で統一して表示することとしたものである。
【００５３】
なお、示唆する演出は、上記に限定されない。遊技者に図柄組合せが想定できるものであれば、どのような画像（文字や絵、色を含む。）であってもよい。
【００５４】
また、リールが順次停止するたびに、示唆する演出の各画像を変更してもよい。例えば、示唆する演出を継続する場合は、段階的に強調するように画像を変更してもよい。強調は、例えばリールが順次停止するたびに液晶画面内で徐々に大きく表示することや、半透明から不透明に表示すること等を含む。
【００５５】
＜疑似ラインについて＞
図６は、所定の図柄表示位置（疑似ライン）を図示したものである。図柄表示位置は、左リール、中リール、右リールのそれぞれの上段、中段、下段の合計9か所に区分けすることができる。そして、図柄表示位置をいくつか組合せたものを予め設定して、所定の図柄表示位置（疑似ライン）を形成する。図柄表示位置の組合せは１つ設定されてもよいが、ここでは複数設定されている。
【００５６】
疑似ラインは、遊技者に対し、所定の図柄組合せが揃ったように見せるために設定されたラインである。すなわち、入賞ラインに役を構成する図柄組合せが表示された場合に、疑似ラインに所定の図柄組合せが表示されるようにすることで、入賞ラインに表示される本来の役である図柄組合せが遊技者に分かりづらいものであっても、同時に疑似ライン上に分かりやすい図柄組合せが表示されることによって当該ゲームで何らかの役に入賞したことが分かりやすくなっている。疑似ラインは、伝統的な５つの入賞ラインと同じ配置とすることが遊技者には分かりやすいため、図６のような５つのラインを疑似ラインとして設定する。
【００５７】
疑似ラインを５ラインとするスロットマシンにおいては、左リール中段・中リール中段・右リール中段を疑似ライン１とし、左リール上段・中リール上段・右リール上段を疑似ライン２とし、左リール下段・中リール下段・右リール下段を疑似ライン３とし、左リール上段・中リール中段・右リール下段を疑似ライン４とし、左リール下段・中リール中段・右リール上段を疑似ライン５とする。
【００５８】
疑似ラインは後述する表示態様判別手段にて判定の対象となる。また、疑似ラインと入賞ラインとは重複することがある。例えば、入賞ラインを１ラインとするスロットマシンにおいては、左リール中段・中リール中段・右リール中段を入賞ラインとし、この場合は、疑似ライン１と重複する。入賞ラインを５ラインとするスロットマシンにおいては、５つの入賞ラインすべてが５つの疑似ラインと重複する。
【００５９】
なお、上記の疑似ラインは直線的に並ぶ図柄表示位置を設定したものであるが、直線的でなくてもよい。例えば、左リール上段・中リール中段・右リール上段のようにＶ字型に設定してもよい。また、各リールから複数の図柄表示位置が設定されてもよい。例えば、左リール上中下段・中リール中段・右リール上中下段のようにＨ字型に設定してもよい。
【００６０】
＜図柄組合せについて＞
図柄組合せについて説明する。図柄組合せは、所定の図柄表示位置に表示された図柄の組合せである。図柄組合せのうち、特定の図柄組合せが表示されるようになっており、これを所定の図柄組合せという。例えば、左リール中段・中リール中段・右リール中段（疑似ライン１）に「７・７・７」が表示された場合は、所定の図柄表示位置に所定の図柄組合せが表示された状態である。また、左リール上段・中リール中段・右リール下段（疑似ライン４）に「ベルＡ・ベルＡ・ベルＡ」が表示された場合も、所定の図柄表示位置に所定の図柄組合せが表示された状態である。
【００６１】
図７（１）は、役を構成する図柄組合せ（役）と、これに対応する示唆する演出を示すものである。図７（１）は、入賞ラインが５ラインのスロットマシンを想定した場合であり、入賞ラインと疑似ラインとが一致している。そして、入賞ライン上に表示される役を構成する図柄組合せと（入賞ラインと同じラインである）疑似ライン上に表示される所定の図柄組合せは一致する。そして、役を構成する図柄組合せを示唆する演出を選択して液晶画面に表示することになる。
【００６２】
図７（２）も、役を構成する図柄組合せ（役）と、これに対応する示唆する演出を示すものであるが、入賞ラインと疑似ラインとが一致していないケースである。すなわち、入賞ラインは各リール中段の１つであり、疑似ラインは５つあるというものである。この場合は、入賞ラインに表示される図柄組合せ（役）と疑似ラインに表示される所定の図柄組合せが一致しない。例えば、図柄組合せ名称「ベル１」の場合、入賞ライン（各リール中段）上に表示されるのが、「スイカ・スイカ・７」であるが、その際に各リール下段（疑似ラインの１つ）に表示されるのが「ベルＡ・ベルＡ・ベルＡ」である。すなわち、遊技者にとっては各リール下段のラインではベルが３つ揃ったように見える。このように、各リール下段に「ベルＡ・ベルＡ・ベルＡ」が表示された場合は、所定の図柄表示位置に所定の図柄組合せが表示された状態である。このように、役を構成する図柄組合せ（役）が入賞ラインに表示された場合に、いずれかの疑似ラインには所定の図柄組合せが表示されるようにリールに図柄が配置されている。例えば、所定の図柄組合せを「ベルＡ・ベルＡ・ベルＡ」とするために、入賞ラインに表示される役を構成する図柄組合せとリールの図柄配置を決定している。そして、これに対応する示唆する演出は「ベル」であり、「ベル」を選択して液晶画面に表示することになる。
【００６３】
＜図柄について＞
リールに配置された図柄について説明する。本実施形態では、複数種類の図柄として「７」、「黒バー」、「青バー」、「スイカ」、「ベルＡ」、「ベルＢ」、「リプレイＡ」、「リプレイＢ」、「チェリー」、「ブランク」がリールに印刷されている（図３参照）。この中で、図柄の形状の一部が異なる図柄がある。例えば、ベルをイメージさせる図柄として「ベルＡ」と「ベルＢ」があり、互いに図柄の形状の一部が異なる。図示しないが、「ベルＡ」は、大きく黄色いベルの形状に小さく黒い円をあしらった形状とし、「ベルＢ」は、大きく黄色いベルの形状に小さく白い円をあしらった形状とする、といった具合である。これは、遊技者には、「ベルＡ」も「ベルＢ」も「ベル」として認識してもらうためである。すなわち、所定の図柄組合せとして表示ライン上に、「ベルＡ・ベルＡ・ベルＡ」が表示されても、「ベルＡ・ベルＢ・ベルＡ」が表示されても、遊技者には「ベル」が揃ったものとして認識される。同様に「リプレイＡ・リプレイＡ・リプレイＡ」が表示されても、「リプレイＢ・リプレイＢ・リプレイＢ」が表示されても、遊技者には「リプレイ」が揃ったものとして認識される。このような図柄を用意することで、実際には多様で複雑な図柄組合せをシンプルにすることができ、遊技者に分かりやすくしている。
【００６４】
遊技者のこの認識を利用して所定の図柄組合せの示唆を行うことが可能である。上記のように「ベルＡ・ベルＡ・ベルＡ」が表示されても、「ベルＡ・ベルＢ・ベルＡ」が表示されても、遊技者には「ベル」が揃ったものとして認識されるから、液晶画面に「ベル」の画像を表示することで、「ベルＡ・ベルＡ・ベルＡ」が表示される場合も「ベル」として示唆したことになるし、「ベルＡ・ベルＢ・ベルＡ」が表示される場合も「ベル」として示唆したことになる。液晶画面に表示する「ベル」の画像はいずれの場合も１種類でも構わない。すなわち、示唆する画像と所定の図柄組合せは、１対１で対応させる必要はなく、示唆する画像１つで複数の所定の図柄組合せを示唆することが可能である。もっとも、示唆する画像を複数用意して、ランダムに表示してもよい。所定の図柄組合せが表示されるにあたり当該所定の図柄組合せを示唆する画像を選択して表示すればよい。
【００６５】
＜スロットマシンの機能的構成について＞
図８は、本実施形態におけるスロットマシンの機能的構成を示す図である。
【００６６】
＜メイン制御手段について＞
同図で示されるように、メイン制御手段は、内部抽選手段、リール制御手段、入賞判定手段、遊技状態設定手段、およびメイン記憶手段を含んで構成される。メイン制御手段における上記の各手段は、図４に示すメイン制御基板１００Ａ上に配されたＣＰＵ１０１、ＲＯＭ１０４、ＲＡＭ１０５、電子回路等のハードウエアおよびＲＯＭ１０４等に格納された制御プログラム等のソフトウエアにより構成されるものを機能的に表したものである。
【００６７】
内部抽選手段は、開始操作指示信号を検知したタイミングで、予め設定された確率に基づき複数の役の中から少なくとも１つの役を決定するための抽選処理を行うように構成されている。この抽選処理は、乱数発生器およびサンプリング回路を用いた乱数抽選により行われる。具体的には、乱数発生器により一定の範囲（例えば０〜６５５３５の範囲）で乱数値を発生させ、サンプリング回路により1つの乱数値を取得し、乱数値を抽選テーブルに照らし合せ、役の当選の有無および当選役を決定するように構成されている。そして内部抽選手段は抽選結果を示す情報を出力し、ＲＡＭ１０５における抽選結果記憶領域に、抽選結果に対応するフラグ（当選フラグ）が記録される。抽選結果は、必要に応じてサブ制御基板１００Ｂに送信してＲＡＭ１９５に記録してもよい。ＲＡＭ１９５に記録された当選フラグは、演出制御手段における演出テーブルの決定や、ＡＴ抽選を実行する際に参照される。
【００６８】
リール制御手段は、内部抽選手段による抽選処理の後に、リール５１ａ〜５１ｃを一斉に回転させるとともに、遊技者によるストップボタン１３ａ〜１３ｃが順次押下され、それらの各停止操作指示信号を検知した際に、対応する各リールを順次回転停止させるように構成されている。なお、各リールの回転停止制御は、停止ボタンが操作されたタイミングから、各リールが最大で４図柄移動する範囲内で行われる（いわゆる４コマ滑り）。内部抽選手段の抽選処理の結果、所定の当選役が決定された場合には、可能な限り当該当選役を構成する図柄が有効ライン上に停止表示されるようになっている。また、ハズレの場合には、当選役を構成する図柄が有効ライン上に停止表示されないようになっている。より具体的には、内部抽選手段の抽選結果に基づいて停止制御テーブルを選択し、選択された停止制御テーブルと、ストップボタン１３ａ〜１３ｃが押下される順番やタイミングに基づいて、有効ライン上に停止表示される図柄を制御する。各リールが停止するたびに、各リールの中段に停止した図柄番号ＰＮを特定してＲＡＭ１０５に記憶する停止位置判定を行う。
【００６９】
入賞判定手段は、全リールが停止された後、各リールにより停止表示された図柄がいずれの図柄であるかを判定し、有効ライン上に停止表示された図柄の組合せから、役が成立したかどうかを判定するように構成されている。
【００７０】
遊技状態設定手段は、条件に応じてスロットマシンにおける遊技状態を設定するように構成されている。遊技状態設定手段は、通常遊技状態と、第２種ＢＢ遊技状態と、第２種ＢＢ内部中状態の中から、条件に応じていずれかの遊技状態に設定するものである。具体的には、遊技状態設定手段は、第２種ＢＢ役が当選した場合や、入賞した場合、第２種ＢＢ遊技状態が終了した場合に、遊技状態を移行するように設定する。遊技状態を示すフラグは、メイン制御基板１００ＡにおけるＲＡＭ１０５だけでなく、必要に応じてサブ制御基板１００ＢにおけるＲＡＭ１９５においても管理される。
【００７１】
メイン記憶手段は、メイン制御手段で必要となる各情報を記憶する所定の記憶領域を備えている。具体的には、ＲＯＭ１０４には、内部抽選手段の抽選テーブル、リール制御手段の停止制御テーブル、入賞判定手段の図柄組合せテーブル等のメイン制御手段にて必要な情報が記憶されている。また、ＲＡＭ１０５には、内部抽選手段の当選フラグ等のメイン制御手段にて必要な情報が記憶される。
【００７２】
＜サブ制御手段について＞
次に、サブ制御手段は、表示態様判別手段、演出制御手段、報知ゲーム抽選手段、報知ゲーム実行手段、およびサブ記憶手段を含んで構成される。サブ制御手段における上記の各手段は、図４に示すサブ制御基板１００Ｂ上に配されたＣＰＵ１９１、ＲＯＭ１９４、ＲＡＭ１９５、電子回路等のハードウエアおよびＲＯＭ１９４等に格納された制御プログラム等のソフトウエアにより構成されるものを機能的に表したものである。
【００７３】
表示態様判別手段は、各リールが停止した際に、視認可能領域における図柄の表示態様が１または複数の所定の図柄組合せを構成しうるかどうかを判別するように構成されている。具体的には、サブ制御手段は、メイン制御手段から順次停止する各リールの停止情報を受信してＲＡＭ１９５に記録する。これは、各リールが停止するたびに受信し、記録することが可能となっている。各リールの停止情報は、停止したリールの番号情報および各リールの中段の図柄表示位置に表示された図柄番号情報とからなる。表示態様判別手段は、サブ記憶手段に記憶された各リールの図柄配置情報を参照して、中段に表示された図柄番号から上段および下段の図柄番号を判別し、各リールの図柄の表示態様を判別する。そして、表示態様判別手段は、サブ記憶手段に記録されている所定の図柄組合せ情報と各リールの図柄の表示態様を比較し、各リールの図柄の表示態様が所定の図柄組合せを構成しうるかどうかを判別する。
【００７４】
表示態様の判別は、表示列が停止するたびに疑似ラインを構成する図柄表示位置に停止表示されている図柄を確認し、所定の図柄組合せを構成するかどうかを判別する処理を行う。この処理では、複数の所定の図柄表示位置について、各所定の図柄表示位置ごとに順番に所定の図柄組合せを構成しうる図柄が表示されているかどうかを判別する。すなわち、疑似ラインの数だけ図柄の確認を繰り返し行う。ＲＯＭ１９４に疑似ラインのデータが記録されており、判別時にはＲＡＭ１９５に疑似ラインのデータが記録され、当該データに基づいて判別を行う。
【００７５】
また、表示態様判別手段は、図柄の可変表示がリールごとに順次停止するたびに、視認可能領域における図柄の表示態様が１または複数の所定の図柄組合せを構成する途中段階にあるかどうかを判別するように構成されてもよい。具体的には、リールが順次停止するたびに、所定の図柄組合せ情報と各リールの図柄の表示態様を比較し、各リールの図柄の表示態様が所定の図柄組合せを構成する途中段階にあるかどうかを判別する。所定の図柄組合せを構成する途中段階にあるかどうかは、すわなち、一部のリールが停止しており、他のリールが回転中である場合に、仮にすべてのリールが停止したときに所定の図柄組合せが所定のライン上に表示される可能性があるかどうか、ということである。例えば、最初のリールの停止、すなわち第１停止したリールにおいて「７」が疑似ライン上に表示されれば、ビッグボーナス「７・７・７」が表示される可能性があると判断し、次のリールの停止、すなわち第２停止したリールと第１停止したリールにおいて「７」が表示され、かつ、両者が同一の疑似ライン上に表示されれば、ビッグボーナス「７７７」が表示される可能性があると判断する。一方、第２停止したリールにおいて「７」が表示されなかったり、第１停止したリールと第２停止したリールの「７」が互いに異なる疑似ライン上に表示された場合は、ビッグボーナス「７・７・７」が表示される可能性がなくなったものと判断する。
【００７６】
また、表示態様判別手段は、最後の可変表示を停止した際に、視認可能領域において図柄が所定の表示態様となった場合に所定の図柄組合せを構成すると判別するとともに、図柄の可変表示がリールごとに順次停止するたびに、視認可能領域における図柄の表示態様が１または複数の所定の図柄組合せを構成する途中段階にあるかどうかを判別するように構成されもよい。具体的には、表示態様判別手段は、一部のリールが回転中では上記のとおり所定の図柄組合せ情報と各リールの図柄の表示態様との比較を行い、最後のリールの回転を停止した際にも、所定の図柄組合せ情報と停止した各リールの図柄の表示態様を比較し、各リールの図柄の表示態様が所定の図柄組合せを構成したかどうかを判別する。
【００７７】
また、表示態様判別手段は、図柄の可変表示がリールごとに順次停止するたびに、視認可能領域における図柄の表示態様が1または複数の前記所定の図柄組合せを構成する途中段階にあるかどうかを判別するとともに、最後の可変表示を停止した際には、入賞判定手段の抽選結果に基づいて表示態様を判別するように構成されてもよい。具体的には、表示態様判別手段は、一部のリールが回転中では上記のとおり所定の図柄組合せ情報と各リールの図柄の表示態様との比較を行い、最後のリールの回転を停止した際には、この比較を行わず、メイン制御手段の入賞判定手段の判定結果に基づいて判別する。すなわち、サブ制御手段は、メイン制御手段から入賞判定手段の判定結果を受信し、ＲＡＭ１９５に記録し、表示態様判別手段は、入賞判定手段の判定結果を参照して表示態様を判別する。
【００７８】
演出制御手段は、所定の条件に応じて、液晶画面に画像を表示する制御、電飾を点滅させる制御、および、スピーカに音声を出力する制御を行うように構成されている。
【００７９】
液晶画面に画像を表示する制御は、主に、サブ制御手段がメイン制御手段から受信し、ＲＡＭ１９５に記録した内部抽選の結果に対応するフラグを参照して、ＲＯＭ１９４に記録された演出テーブルを選択する。そしてさらに、演出制御手段は、新たに乱数値を発生させて、当該乱数値および選択された演出テーブルに基づいて、表示器３０に表示させる演出パターンをセットし、セットされた演出パターンを実行する。
【００８０】
なお、液晶画面に画像を表示する場合は、演出制御手段は、表示制御手段を通じて表示手段に画像を表示するように制御する。具体的には、サブ制御基板１００Ｂに配された表示回路１９７を通じて液晶表示装置３０に画像を表示する。表示手段としては、液晶表示装置に限らず、有機ＥＬパネル等の画像を表示することが可能であればよい。電飾を点滅させる場合は、演出制御手段は、電飾制御手段を通じて電飾手段を点滅させるように制御する。具体的には、電飾制御基板１００Ｃを通じて各種表示ＬＥＤ２１および２２や電飾ＬＥＤ３１を制御する。スピーカに音声を出力する場合は、演出制御手段は、音声制御手段を通じて音声出力手段に出力するように制御する。具体的には、音声制御機能を兼ねた電飾制御基板１００Ｃを通じてスピーカ３２に音声を出力するよう制御する。
【００８１】
これら演出制御手段、表示制御手段、表示手段、電飾制御手段、電飾手段、音声制御手段、音声出力手段により演出が実現されるため、これらをまとめて演出手段という。
【００８２】
演出制御手段は、各リールが停止した際の表示態様に合致した演出を行うように構成されている。すなわち、演出制御手段は、１または複数の所定の図柄組合せについて示唆する演出を行うとともに、当該示唆する演出の後に、表示態様判別手段の判別において、表示態様が、当該示唆する演出を行った１または複数の前記所定の図柄組合せのうち、当該所定の図柄組合せを構成しうると判別した場合は、当該構成しうると判別した図柄組合せについて示唆する演出を継続するように構成されている。
【００８３】
具体的には、演出制御手段は、サブ制御手段がメイン制御手段からリールの回転が開始されたことを受信すると、１または複数の所定の図柄組合せについて示唆する演出を実行する。ここで、所定の図柄組合せについて示唆する演出は、典型的には、所定の図柄組合せの名前や色を遊技者に知らせる演出である。例えば、ビッグボーナス役であれば「７・７・７」や「赤」、スイカ役であれば「スイカ」や「緑」、ベル役であれば「ベル」や「黄」、リプレイ役であれば「リプレイ」や「青」を遊技者に知らせるものである。これらを液晶画面に表示することにより、遊技者においては、表示された名前や色を見て、リールの入賞ライン上にその名前や色で象徴される図柄組合せが表示される、つまりその名前や色で象徴される役が当選したのではないかと期待を持たせることになる。なお、遊技者は各図柄について色で識別しているという実態があるため、色によっても図柄組合せを示唆することが可能となっているのである。この示唆する演出を液晶画面に表示するための画像情報は、ＲＯＭ１９４に記録されており、演出制御手段は、適切な画像を選択して液晶画面への表示を実行する。
【００８４】
１または複数の所定の図柄組合せについて示唆する演出を実行するタイミングは、リールの回転が開始されたことを受信した後から最後のリールが停止する前までに液晶画面に表示することができる。典型的には、リール回転開始直後からリールの第１停止前までに表示することが考えられる。
【００８５】
このように、示唆する演出の最初の段階においては、用意されているすべての図柄組合せについて示唆する演出をしてもよい。予めそのように定めておけば処理を減らすことができる。
【００８６】
この場合、用意されている図柄組合せの数が多いと液晶画面が煩雑になる。そこで複数の所定の図柄組合せについて示唆する演出を行う場合は、個々の所定の図柄組合せについて示唆する演出とは異なる統一的な態様で示唆する演出を行ってもよい。例えば、いずれの図柄組合せをも象徴しない「白」を液晶画面の所定領域に表示することで、複数の図柄組合せが停止表示される可能性があることを遊技者に示唆する。また、特定の図柄組合せを象徴する色でないとすることにより、いずれの図柄組合せが表示される可能性があるのかをリールの表示態様との兼ね合いで予測する楽しみも提供できる。
【００８７】
また、すべての図柄組合せではなく、任意の１または複数の図柄組合せについて示唆する演出をしてもよい。その場合は、リール停止後の表示態様判別手段の判別において、すでに示唆する演出を行った図柄組合せに含まれない所定の図柄組合せを構成しうることが判別された場合は、当該含まれない所定の図柄組合せについて示唆する演出を追加するようにすればよい。例えば、リール回転の際には、「赤」と「青」を表示していたが、第１停止のリールにおいてスイカ役を構成しうる図柄が表示された場合には、「緑」を追加する。これにより、最初の段階から任意の図柄組合せについて示唆する演出をすることができるようになる。
【００８８】
また、演出制御手段は、内部抽選手段の抽選により当選した役に基づく表示態様として構成されうる所定の図柄組合せについて示唆する演出を少なくとも含む演出を行うように構成されてもよい。具体的には、サブ制御手段は、メイン制御手段から内部抽選手段の抽選結果に対応する情報を受信し、ＲＡＭ１９５に記憶する。演出制御手段は、抽選結果に対応する情報を参照して、少なくとも当選した役に基づく表示態様として構成される図柄組合せについて示唆する演出を含める。リール回転開始後の最初の段階から当選役に基づく図柄組合せについて示唆する演出を含めても構わないし、途中から含めても構わない。例えば第１停止前までは含んでいなかったが、第１停止後に含むようにしても構わない。
【００８９】
この場合、液晶画面で示唆する演出を行うのはサブ制御基板１００Ｂであるため、サブ制御基板１００Ｂは、メイン制御基板１００Ａで実行された内部抽選結果を取得する必要がある。
【００９０】
１つには、メイン制御基板１００Ａからサブ制御基板１００Ｂに当選結果をすぐに送信する方法がある。
【００９１】
また、メイン制御手段は当選結果に基づき演出手段にて実行すべき演出を特定する情報を特定して演出手段に送信し、演出手段は受信した当該情報から実行すべき演出を特定して演出を実行する方法がある。例えば、メイン制御基板１００Ａで当選結果に基づいて演出番号を特定し、サブ制御基板１００Ｂに送信する。サブ制御基板１００Ｂでは、受信した当該演出番号から演出の種類を特定して示唆する演出を実行する。メイン制御基板１００Ａとサブ制御基板１００Ｂとで同じ演出番号リストを保持しておけばよい。メイン制御基板１００Ａでは、所定の図柄組合せであるビッグボーナスが当選した場合は、所定の演出番号である０１番が特定されるようにする。サブ制御基板１００Ｂにおいて、当該演出番号０１番には、複数の演出パターンが関連づけられている。ここでは２つの演出パターンがあるものとして説明する。１つは、ビッグボーナスを含むすべての所定の図柄組合せを示唆する演出（「赤」、「緑」、「黄」、「青」）、他の１つは、ビッグボーナスとスイカとベルを示唆する演出（「赤」、「緑」、「黄」）、である。サブ制御基板１００Ｂは、この２つの演出パターンから１つを選択して演出を実行する。当該選択は抽選で行えばよい。もちろん、演出番号に関連づけられている演出パターンが１つであってもよい。このようにすることで、メイン制御基板１００Ａからサブ制御基板１００Ｂに直接抽選結果を送信することなく、抽選結果と齟齬のない演出を行うことが可能となる。
【００９２】
演出制御手段は、当該示唆する演出の後に、表示態様判別手段の判別において、表示態様が、当該示唆する演出を行った１または複数の前記所定の図柄組合せのうち、当該所定の図柄組合せを構成しうると判別した場合は、当該構成しうると判別した図柄組合せについて示唆する演出を継続する。具体的には、表示態様判別手段においてリールの表示態様が所定の図柄組合せを構成しうると判別している場合、その判別結果がＲＡＭ１９５に記録され、演出制御手段は、その判別結果を参照する。そして、すでに示唆する演出を行っている図柄組合せと判別結果とを比較して、一致する図柄組合せについては示唆する演出を継続して行う。この処理は、各リールが順次停止するたびに繰り返し行われる。
【００９３】
すでに示唆する演出を行っている図柄組合せと判別結果とを比較した結果、一致しない図柄組合せ、すなわち停止表示される可能性がない図柄組合せについて示唆する演出を停止する。示唆する演出の停止には、液晶画面上から当該図柄組合せについて示唆する画像を消去することの他、当該示唆する画像を黒塗りにしたり、バツ印を上書きするなど変更を加えることが含まれる。すなわち、当該図柄組合せについて示唆する演出を停止することで、遊技者に当該停止に係る図柄組合せは停止表示される可能性がなくなったものと認識される。
【００９４】
また、演出制御手段は、１または複数の所定の図柄組合せについて示唆する演出を行うとともに、当該示唆する演出の後に、表示態様判別手段の判別において、表示態様が、当該示唆する演出を行った１または複数の所定の図柄組合せのうち、当該所定の図柄組合せを構成する途中段階にないと判別した場合は、当該途中段階にないと判別した図柄組合せについて示唆する演出を停止するように構成してもよい。具体的には、演出制御手段は、表示態様判別手段の判別結果を記録したＲＡＭ１９５を参照し、すでに示唆する演出を行っている図柄組合せと判別結果とを比較して、一致しない図柄組合せについて示唆する演出を停止する。なお、表示態様判別手段がリールの表示態様が1つも図柄組合せを構成しないと判別する場合もあるが、同様に比較し、一致しない図柄組合せ、すなわち、すべての図柄組合せについて示唆する演出を停止する。
【００９５】
上記の通り、表示態様判別手段および演出制御手段を設けたことにより、リールの停止表示によって演出を絞り込んでいくことができる。特に、表示態様を判別することから示唆する演出に係る図柄組合せが１００％停止図柄でなくても対応できる。１００％停止図柄でないものとは、例えば図柄配置における「７」である。「７」は、当選していても遊技者のストップボタン操作のタイミングが悪いと停止表示されることはない（４コマ滑りでも対応できない）。リールが順次停止されるごとに表示態様を判別した上で演出することにより、遊技者の操作タイミングによる停止表示の不確実性に柔軟に対応する演出をすることができるようになっている。
【００９６】
演出制御手段は、電飾を点滅させる制御も実行する。上記のとおり、示唆する演出について説明したが、示唆する演出の１つである色による示唆を電飾によって行ってもよい。例えば、最初の段階では、スイカ役は「緑」、ベル役は「黄」、リプレイ役は「青」などの電飾を点灯するよう制御し、表示態様判別手段の判別結果に応じて、点灯を維持継続、または消灯するように制御する。
【００９７】
演出制御手段は、スピーカに音声を出力する制御も実行する。上記のとおり、示唆する演出について説明したが、示唆する演出の１つである色による示唆を音声によって行ってもよい。例えば、最初の段階では、スイカ役は「緑」、ベル役は「黄」、リプレイ役は「青」などの音声を出力するよう制御し、表示態様判別手段の判別結果に応じて、音声を継続、または音声を停止するか、「赤なくなった」などの取り消しを示唆する音声を出力するように制御する。
【００９８】
報知ゲーム抽選手段は、報知ゲーム抽選処理を行うように構成されている。報知ゲーム抽選処理は、所定の条件を満足する場合に、報知ゲームを実行するかどうか、および、遊技者に付与する報知ゲームの数を抽選するものである。報知ゲーム抽選処理による当選確率は、ゲーム状態に応じて変化させてもよいし、内部当選した役に応じて変化させてもよい。報知ゲームに当選した場合には、遊技者に付与されるゲーム数がＲＡＭ１９５のＡＴ遊技カウンタに蓄積される。また、報知ゲームを遊技者に付与するタイミングを決定する。このタイミングは、報知ゲーム当選後、さらに所定ゲームを消化した後であってもよいし、ボーナス遊技状態の終了を契機として開始するようにしても良く、予め定められたタイミングで遊技者に付与するようにしてもよい。
【００９９】
報知ゲーム実行手段は、報知ゲームを実行するように構成されている。報知ゲーム実行手段は、ＲＡＭ１９５において記録されているＡＴ遊技カウンタを監視しており、ＡＴ遊技カウンタが１以上となった場合に、報知ゲームを実行する。そして報知ゲーム実行手段は、報知ゲームを開始した際に、ＲＡＭ１９５のＡＴフラグ記憶領域にてＡＴ遊技中のフラグを記録し、演出制御手段にＡＴ遊技用の演出を実行させる。ＡＴ遊技フラグがオンの状態では、遊技者にとって有利となる操作態様を報知するＡＴ遊技が実行される状態（ＡＴ状態）となっており、ＡＴ遊技フラグがオフの状態では、ＡＴ遊技が実行されない状態（非ＡＴ状態）となる。また、例えば報知ゲーム実行手段は、ＡＴ遊技を１ゲーム実行する毎に、ＡＴ遊技カウンタを１ずつ減算し、ＡＴ遊技カウンタがゼロになった時点でＡＴ遊技を終了させて、ＡＴ遊技中のフラグをオフにする。
【０１００】
なお、報知ゲーム抽選手段は、サブ制御手段の一部としたが、メイン制御手段の一部としてもよい。その場合、報知ゲーム抽選処理で当選した場合には、所定のタイミングで報知ゲームに当選したこと、および報知ゲームの数をサブ制御手段に送信する。あるいは、当選したことや報知ゲームの数を送信せず、演出制御手段にて実行すべき演出パターンに関する情報のみを送信することでもよい。
【０１０１】
サブ記憶手段は、サブ制御手段で必要となる各情報を記憶する所定の記憶領域を備えている。具体的には、ＲＯＭ１９４には、表示態様判別手段のリールの図柄配置データや図柄組合せテーブル、演出制御手段の演出パターンや画像データ、音声データ、報知ゲーム抽選手段の抽選データ等のサブ制御手段にて必要な情報が記憶されている。また、ＲＡＭ１０５には、表示態様判別手段の当選フラグに対応する情報、報知ゲーム抽選手段のゲーム数情報等のサブ制御手段にて必要な情報が記憶される。
【０１０２】
＜スロットマシンの遊技のフローについて＞
次に、スロットマシンの動作の詳細を説明する。ＣＰＵ１０１は、電源投入後初期化処理を行い、図９に示すフローチャートの処理を実行する。
【０１０３】
図９は、本実施形態のメイン制御基板１００Ａにおける一遊技の流れの内容を示すフローチャートである。まずＣＰＵ１０１は、メダル投入信号１６０による投入ベット操作、又はＭＡＸＢＥＴボタン１１の押下による貯留ベット操作が行われたか否かを判定し、いずれかの信号を検出するまで待機する（Ｓ１００）。ＣＰＵ１０１は、いずれかの信号を検知した場合は次に進み、開始操作指示信号１１２に基づいてスタートレバー操作が行われたか否かを判定し、信号を検出するまで待機する（Ｓ１０１）。ＣＰＵ１０１は、開始操作指示信号１１２を検出した場合は、ベット操作を禁止する（Ｓ１０２）。具体的には、メダルブロック信号１６１によりメダルセレクタ装置のソレノイドをＯＦＦにし、メダルセレクタ装置の通過経路を切替えて、遊技メダルがメダル投入口１０から投入された場合でもメダル受皿４０に排出する。また、ベット操作指示信号１１１ａ〜１１１ｃも受け付けないようにする。
【０１０４】
次に内部抽選手段は、００００ＨからＦＦＦＦＨの範囲で１０ナノ秒毎に順次インクリメントし、約１．６ミリ秒で１巡回するするカウンタ回路から入出力ポート１０７を介してカウンタ値を取得し乱数値とする（Ｓ１０３）。次にＲＡＭ１０５に記録されたゲーム状態を示すフラグを参照して、ゲーム状態に応じた抽選テーブルを選択する（Ｓ１０４）。そして内部抽選手段は、選択した抽選テーブルを使用して、抽選テーブル上の抽選対象となる役ごとに設定されたどの数値の範囲に取得した乱数値が属するかの判定を行い、当選フラグをセットする（Ｓ１０５）。次にステップＳ１０５で設定された当選フラグに基づき、リール制御手段は、リールの停止制御で参照する停止制御テーブルを準備する（Ｓ１０６）。
【０１０５】
スロットマシンでは、遊技者が短時間に多くの遊技メダルを消費することを防ぐために、一遊技に要する経過時間を計測している。この実施形態では一遊技の最小消費時間を４．１秒とし、１分間に１５ゲーム以上実行できないようにしている。具体的には、一遊技の経過時間を示す２ミリ秒毎に０までカウントダウンするタイマ値を参照して、タイマ値が０に到達した場合には、タイマ値を４．１秒に相当する初期値（２０５０）に設定し直す。したがって、ステップＳ１０１でスタートレバー１２が操作されても、前のゲームのリールの回転の開始から４．１秒経過していない場合には、リールＲ１〜Ｒ３は回転させないで待機状態にする（Ｓ１０７）。そして４．１秒の経過後、ＣＰＵ１０１は、リール駆動信号１５４ａ〜１５４ｃとしてパルスを供給して、ステッピングモータを順次又は同時に駆動して、３つのリールの定常回転駆動を開始する（Ｓ１０８）。
【０１０６】
次にＣＰＵ１０１は、１０ステップの加速期間を経て３つのリールＲ１〜Ｒ３を全て一定回転速度に移行させる。３つのリールＲ１〜Ｒ３が一定回転速度に到達したことを検出し、この検出時点を基準時点とし、この基準時点から自動停止時間が経過するまでの残り時間の計測を開始するとともにストップボタン１３ａ〜１３ｃの受け付けができることを知らせるためにストップボタンに内蔵したＬＥＤを点灯させる。
【０１０７】
そしてリール制御手段は、３つのリールＲ１〜Ｒ３を停止させるリールの回転停止制御処理を行う（Ｓ１０９）。リールの回転停止制御処理では、遊技者によるストップボタン１３ａ〜１３ｃの入力がされて停止操作指示信号１１３ａ〜１１３ｃが検出された場合には、ステップＳ１０６で選択した停止制御テーブルと、ストップボタンの操作タイミングで得られたリール上の図柄位置とに基づいて、有効ラインＬ１上に停止させる図柄番号ＰＮを決定し、全ての巻線相を同時に励磁する全相励磁によってブレーキ力を与えて、全相励磁を開始してから１５ステップ相当分の惰性で回転して停止させるリール停止制御処理をそれぞれのリールに対して行う。また、その一方で、基準時点から自動停止時間が経過した場合（残り時間がなくなる場合）には、停止操作が行われなかったリールを自動的に停止させる。
【０１０８】
次にＣＰＵ１０１は、全リールが停止した場合、有効な入賞ライン上に役が成立して入賞したかを判定し（Ｓ１１０）、入賞している場合には役ごとに設定した遊技価値を付与する。また、Ｓ１１０においては、ゲーム状態を移行する図柄組合せが有効ライン上に停止しているか否か等も判断され、メイン制御基板１００Ａにおけるゲーム状態の設定処理も実行される。次にＣＰＵ１０１は、当選フラグクリア処理を行う（Ｓ１１１）。Ｓ１１１では、そのゲームで成立した当選フラグがフラグの持ち越しできる特別役であれば、入賞した場合にだけ当選フラグをクリアし、入賞せずに取りこぼした場合には当選フラグをクリアせずそのままとする。一方、そのゲームで成立した当選フラグがフラグの持ち越しできない小役賞であれば、入賞したか、入賞しないで取りこぼしたかにかかわらずその当選フラグをクリアする。
【０１０９】
次にＣＰＵ１０１は、再遊技賞に入賞したかを判定し（Ｓ１１２）、入賞したと判定した場合は、自動ベット処理を行い（Ｓ１００ａ）、ステップＳ１０１に戻って次の遊技を開始する。入賞していないと判定した場合は、ステップＳ１０２で行ったベット操作の禁止を解除し（Ｓ１１３）、遊技メダルの投入又はＭＡＸＢＥＴボタン１１の入力の受け付けを行えるようにし、次のゲームの開始に備えるため、ステップＳ１００へ戻る。
【０１１０】
＜スロットマシンの演出のフローについて＞
図１０は、本実施例の演出のフローチャートである。
【０１１１】
Ｓ２０１において、スタートレバーが操作されたかどうかを検出する。スタートレバーが操作されたことを検知すると次に進む。
【０１１２】
Ｓ２０２において、役の抽選処理を行う。所定の図柄組合せを抽選し、抽選結果をメモリに記憶する。例えば、ベル１が当選した場合は、ベル１の当選をメモリに記憶する。
【０１１３】
Ｓ２０３において、第１の報知、つまり最初の示唆する演出を行う。ここでは、用意されているすべての図柄組合せについて示唆する演出をする。
【０１１４】
Ｓ２０４において、遊技者により最初のリールの停止操作が行われ、当該リールを停止する。
【０１１５】
Ｓ２０５において、最初に停止したリールについて、停止位置判定を行う。最初に停止したリールが左リールであれば、その図柄表示位置、すなわち左リールの上段、中段、下段のそれぞれにどの図柄が表示されているかを判定する。いずれの図柄が表示されているかを特定するためには、中段に何番の図柄が停止したかどうかを検出し、特定すれば、上段、下段も決まるため、ここでは中段に表示されている図柄番号を特定することでよい。そして、メイン制御基板１００Ａは、当該リール番号と当該図柄番号をサブ制御基板１００Ｂに送信する。ここでは、左リールをリール番号１、中リールをリール番号２、右リールをリール番号３とする。
【０１１６】
Ｓ２０６において、サブ制御基板１００Ｂでは、表示態様判別を行う。メイン制御基板１００Ａから受信した上記の停止位置判定の結果である図柄表示位置に関する情報、すなわちリール番号と図柄番号から、いずれのリールのいずれの図柄表示位置にいずれの図柄が表示されているかどうかを特定する。サブ制御基板１００Ｂでは、リール配列を記憶しているため、リール番号と図柄番号から図柄表示位置に表示されている図柄を特定することができる。例えば、リール番号１、図柄番号８である場合、左リールの上段に「７」、中段に「スイカ」、下段に「ベルＡ」が表示されていることを特定する。
【０１１７】
続いて、サブ制御基板１００Ｂでは、表示態様判別を行う。表示態様判別は、疑似ラインを構成する図柄表示位置に表示されている図柄を確認し、所定の図柄組合せを構成するかどうかを判定する処理である。疑似ライン１を構成する図柄表示位置は、左リール中段・中リール中段・右リール中段であるから、これらの図柄表示位置に表示されている図柄を確認する。同様に、疑似ライン２から５までの図柄の確認を繰り返し行う。上記例では、疑似ライン１は「スイカ」・回転中・回転中となる。疑似ライン１には図柄組合せ「スイカ」を構成する図柄が左リール中段に停止表示されているため、図柄組合せ「スイカ」が疑似ライン１に表示される可能性があるものと判断する。疑似ライン２は「７」・回転中・回転中となる。疑似ライン２には図柄組合せ「ビッグボーナス」を構成する図柄が左リール上段に停止表示されているため、図柄組合せ「ビッグボーナス」が疑似ライン２に表示される可能性があるものと判断する。疑似ライン３は「ベルＡ」・回転中・回転中となる。疑似ライン３には図柄組合せ「ベル」を構成する図柄が左リール上段に停止表示されているため、図柄組合せ「ベル」が疑似ライン３に表示される可能性があるものと判断する。疑似ライン４は「７」・回転中・回転中となる。疑似ライン４には図柄組合せ「ビッグボーナス」を構成する図柄が左リール上段に停止表示されているため、図柄組合せ「ビッグボーナス」が疑似ライン４に表示される可能性があるものと判断する。疑似ライン５は「ベルＡ」・回転中・回転中となる。疑似ライン５には図柄組合せ「ベル」を構成する図柄が左リール上段に停止表示されているため、図柄組合せ「ベル」が入賞ライン５に表示される可能性があるものと判断する。上記の通り、第1リールが停止した時点での表示態様判別では、「ビッグボーナス」、「スイカ」、「ベル」の３つの図柄組合せが表示される可能性があることを確認した。
【０１１８】
続いて、表示態様判別の結果に基づいて第２報知を行う。表示態様判別の結果、疑似ライン上に表示される可能性のある図柄組合せを示唆する演出を選択し、演出画面を更新する。上記例では、「ビッグボーナス」、「スイカ」、「ベル」の３つの図柄組合せが停止表示される可能性があることから、「ビッグボーナス」に対応する「赤」を画面上の所定位置に表示し、「スイカ」に対応する「緑」を画面上の所定位置に表示し、「ベル」に対応する「黄」を画面上の所定位置に表示する。演出画面を更新する場合、すでに第１報知で示唆する演出を行った図柄組合せのうち、第２報知の時点で入賞ライン上に表示されないことが明らかになった図柄組合せについて示唆する演出については、消去されることになる。「ビッグボーナス」の「赤」、「スイカ」の「緑」、「ベル」の「黄」は継続して表示されることになる。
【０１１９】
また、別の方法で画面を更新してもよい。第１報知と第２報知とで比較し、第２報知に含まれない図柄組合せについて示唆する画像を消去したり、暗転させたり、Ｘ印をつけたりしてもよい。第１報知では、「ビッグボーナス」、「スイカ」、「ベル」、「リプレイ」について示唆する演出「赤」、「緑」、「黄」、「青」を表示していた場合、第２報知に含まれる図柄組合せ「ビッグボーナス」、「スイカ」、「ベル」と比較し、「リプレイ」について示唆する演出「青」を消去する。
【０１２０】
ステップ２０７において、遊技者により最初のリールの停止操作が行われ、当該リールを停止する。
【０１２１】
ステップ２０８において、２番目に停止したリールについて、停止位置判定を行う。２番目に停止したリールが中リールであれば、その図柄表示位置、すなわち中リールの上段、中段、下段のそれぞれにどの図柄が表示されているかを判定する。いずれの図柄が表示されているかを特定するためには、中段に何番の図柄が停止したかどうかを検出し、特定すれば、上段、下段も決まるため、ここでは中段に表示されている図柄番号を特定することでよい。そして、メイン制御基板は、当該リール番号と当該図柄番号をサブ制御基板に送信する。
【０１２２】
ステップ２０９において、サブ制御基板１００Ｂでは、メイン制御基板１００Ａから受信した上記のリール番号と図柄番号から、いずれのリールのいずれの図柄表示位置にいずれの図柄が表示されているかどうかを特定する。サブ制御基板では、リール配列を記憶しているため、リール番号と図柄番号から図柄表示位置に表示されている図柄を特定することができる。例えば、リール番号２、図柄番号１９である場合、中リールの上段に「７」、中段に「スイカ」、下段に「ベルＡ」が表示されていることを特定する。
【０１２３】
続いて、サブ制御基板では、表示態様判別を行う。表示態様判別は、疑似ラインを構成する図柄表示位置に表示されている図柄を確認し、所定の図柄組合せを構成するかどうかを判定する処理である。疑似ライン１を構成する図柄表示位置は、左リール中段・中リール中段・右リール中段であるから、これらの図柄表示位置に表示されている図柄を確認する。同様に、疑似ライン２から５までの図柄の確認を繰り返し行う。上記例では、疑似ライン１は「スイカ」・「スイカ」・回転中となる。疑似ライン１には図柄組合せ「スイカ」を構成する図柄が左リール中段および右リール中段に停止表示されているため、図柄組合せ「スイカ」が疑似ライン１に表示される可能性があるものと判断する。疑似ライン２は「７」・「７」・回転中となる。疑似ライン２には図柄組合せ「ビッグボーナス」を構成する図柄が左リール上段および中リール上段に停止表示されているため、図柄組合せ「ビッグボーナス」が疑似ライン２に表示される可能性があるものと判断する。疑似ライン３は「ベルＡ」・「ベルＡ」・回転中となる。疑似ライン３には図柄組合せ「ベル」を構成する図柄が左リール下段および中リール下段に停止表示されているため、図柄組合せ「ベル」が疑似ライン３に表示される可能性があるものと判断する。疑似ライン４は「７」・「スイカ」・回転中となる。疑似ライン４には所定の図柄組合せを構成する図柄が表示されていないため、疑似ライン４にはいずれの図柄組合せも表示される可能性がないものと判断する。疑似ライン５は「ベルＡ」・「スイカ」・回転中となる。疑似ライン４には所定の図柄組合せを構成する図柄が停止表示されていないため、疑似ライン４にはいずれの図柄組合せも表示される可能性がないものと判断する。上記の通り、第２リールが停止した時点での表示態様判別では、「ビッグボーナス」、「スイカ」、「ベル」の３つの図柄組合せが表示される可能性があることを確認した。
【０１２４】
続いて、表示態様判別の結果に基づいて第３報知を行う。表示態様判別の結果、疑似ライン上に表示される可能性のある図柄組合せを示唆する演出を選択し、演出画面を更新する。上記例では、「ビッグボーナス」、「スイカ」、「ベル」の３つの図柄組合せが表示される可能性があることから、「ビッグボーナス」に対応する「赤」を画面上の所定位置に表示し、「スイカ」に対応する「緑」を画面上の所定位置に表示し、「ベル」に対応する「黄」を画面上の所定位置に表示する。演出画面を更新する場合、すでに第２報知で示唆する演出を行った図柄組合せのうち、第３報知の時点で疑似ライン上に表示されないことが明らかになった図柄組合せについて示唆する演出については、消去されることになる。上記例の場合、第２報知と第３報知とでは表示される可能性のある図柄組合せに変化はないので、「ビッグボーナス」の「赤」、「スイカ」の「緑」、「ベル」の「黄」は継続して表示されることになる。
【０１２５】
また、別の方法で画面を更新してもよい。第２報知と第３報知とで比較し、第３報知に含まれない図柄組合せについて示唆する画像を消去したり、暗転させたり、Ｘ印をつけたりしてもよい。第２報知では、「ビッグボーナス」、「スイカ」、「ベル」、「リプレイ」について示唆する演出「赤」、「緑」、「黄」、「青」を表示していた場合、第３報知に含まれる図柄組合せ「ビッグボーナス」、「スイカ」、「ベル」と比較し、「リプレイ」について示唆する演出「青」を消去する。
【０１２６】
ステップ２１０において、遊技者により最後のリールの停止操作が行われ、当該リールを停止する。
【０１２７】
ステップ２１１において、３番目に停止したリールについて、停止位置判定を行う。３番目に停止したリールが右リールであれば、その図柄表示位置、すなわち右リールの上段、中段、下段のそれぞれにどの図柄が表示されているかを判定する。いずれの図柄が表示されているかを特定するためには、中段に何番の図柄が停止したかどうかを検出し、特定すれば、上段、下段も決まるため、ここでは中段に表示されている図柄番号を特定することでよい。そして、メイン制御基板は、当該リール番号と当該図柄番号をサブ制御基板に送信する。
【０１２８】
ステップ２１２において、サブ制御基板では、メイン制御基板から受信した上記のリール番号と図柄番号から、いずれのリールのいずれの図柄表示位置にいずれの図柄が表示されているかどうかを特定する。サブ制御基板では、リール配列を記憶しているため、リール番号と図柄番号から図柄表示位置に表示されている図柄を特定することができる。例えば、リール番号３、図柄番号２０である場合、中リールの上段に「ブランク」、中段に「７」、下段に「ベルＡ」が表示されていることを特定する。
【０１２９】
続いて、サブ制御基板では、表示態様判別を行う。表示態様判別は、疑似ラインを構成する図柄表示位置に表示されている図柄を確認し、所定の図柄組合せを構成するかどうかを判定する処理である。疑似ライン１を構成する図柄表示位置は、左リール中段・中リール中段・右リール中段であるから、これらの図柄表示位置に表示されている図柄を確認する。同様に、疑似ライン２から５までの図柄の確認を繰り返し行う。上記例では、疑似ライン１は「スイカ」・「スイカ」・「７」となる。疑似ライン１には所定の図柄組合せを構成する図柄が表示されていないため、疑似ライン１にはいずれの図柄組合せも表示されなかったと判断する。疑似ライン２は「７」・「７」・「ブランク」となる。疑似ライン２には所定の図柄組合せを構成する図柄が表示されていないため、疑似ライン２にはいずれの図柄組合せも表示されなかったと判断する。疑似ライン３は「ベルＡ」・「ベルＡ」・「ベルＡ」となる。疑似ライン３には所定の図柄組合せ「ベル」が表示されたと判断する。疑似ライン４は「７」・「スイカ」・「ベルＡ」となる。疑似ライン４には所定の図柄組合せを構成する図柄が停止表示されていないため、疑似ライン４にはいずれの図柄組合せも表示されなかったと判断する。疑似ライン５は「ベルＡ」・「スイカ」・「ブランク」となる。疑似ライン５には所定の図柄組合せを構成する図柄が停止表示されていないため、疑似ライン５にはいずれの図柄組合せも表示されなかったと判断する。上記の通り、第３リールが停止した時点での表示態様判別では、図柄組合せ「ベルＡ」のみが表示されたことを確認した。
【０１３０】
続いて、表示態様判別の結果に基づいて第４報知を行う。表示態様判別の結果、疑似ライン上に表示された図柄組合せに対応する画像を演出画面に表示する。
【０１３１】
上記例では、「ベルＡ・ベルＡ・ベルＡ」が疑似ライン上に表示されたから、これに対応する「ベル」の画像を画面上の所定位置に表示し、「スイカ」に対応する「緑」、「ベル」に対応する「黄」を画面上から消去する。演出画面を更新する場合、すでに第３報知で示唆する演出を行った図柄組合せのうち、第４報知の時点で疑似ライン上に表示されなかった図柄組合せについては、消去されることになる。
【０１３２】
以上で処理は終了する。
【０１３３】
＜第２の実施形態＞
本発明の第２の実施形態に係るスロットマシンについて、第1の実施形態に係るスロットマシンと異なる部分を中心に説明する。
【０１３４】
第２の実施形態に係るスロットマシンには、ストップボタンがない。したがって、リールは遊技者の停止操作によらずに停止するように制御する。また、リールはいわゆるメカリールに限らず、いわゆるビデオリールでもよい。
【０１３５】
第２の実施形態に係るスロットマシンの内部抽選手段での抽選は、各リールの図柄番号を抽選する。リール制御手段は、抽選結果に従い、当選した図柄番号の図柄を中段の図柄表示位置に表示するように各リールを順次停止させる。例えば、抽選結果が、左リール図柄番号「９」、中リール図柄番号「２０」、右リール図柄番号「２０」の場合、各リールの中段に順次停止させる。
【０１３６】
続いて、入賞判定手段は、入賞ライン上に所定の図柄組合せが表示されているかどうかを所定の図柄組合せテーブルと対比して判定する。上記例では、中段に「７・７・７」が表示されているため、ボーナスが入賞したと判定する。５ラインで判定するスロットマシンである場合は、５ラインの入賞判定を順次行う。入賞していると判定した場合は、入賞した図柄組合せに応じた遊技媒体を遊技者に付与する。メダルを使用するスロットマシンであればメダルを払い出し、現金を投入するスロットマシンでは現金または相当額を記録したチケットを払い出すようなものであってもよい。
【０１３７】
第２の実施形態に係るスロットマシンの各手段は、同一基板で制御されてもよい。したがって、その場合はメイン制御手段とサブ制御手段という区別は不要であり、その中に含まれる各手段が１つの基板のハードウエアとソフトウエアとで実行可能となる。
【０１３８】
第２の実施形態に係るスロットマシンにおいては、入賞判定手段が表示態様判定手段を兼ねてもよい。すなわち、入賞判定手段が、すべてのリールが停止した後に入賞ライン上に所定の図柄組合せが表示されているかどうかを判定するのみならず、各リールが順次停止するたびに、所定の図柄組合せを構成しうるかどうか、所定の図柄組合せを構成する途中段階にあるかどうかを判別するという表示態様判定手段の機能を有してもよい。
【０１３９】
第２の実施形態に係るスロットマシンの演出制御については、第１の実施形態に係るスロットマシンと同様に制御される。
【０１４０】
なお、本発明は、上述した各実施形態に限定されるものではない。
【符号の説明】
【０１４１】
１  スロットマシン、Ｒ１〜Ｒ３  リール、１２  スタートレバー（開始操作部）、１３ａ〜１３ｃストップボタン（停止操作部）、３０  表示器（画像表示部）、１００Ａ  メイン制御基板、１００Ｂ  サブ制御基板、１９１  ＣＰＵ、１９４  ＲＯＭ、１９５  ＲＡＭ、１９７  表示回路。
【図１】
2016106931.tif 000003
【図２】
2016106931.tif 000004
【図３】
2016106931.tif 000005
【図４】
2016106931.tif 000006
【図５】
2016106931.tif 000007
【図６】
2016106931.tif 000008
【図７】
2016106931.tif 000009
【図８】
2016106931.tif 000010
【図９】
2016106931.tif 000011
【図１０】
2016106931.tif 000012